(57)【要約】【課題】携帯端末に負荷をかけずにメイン情報に関連するサブ情報を取得して再生できるようにする。【解決手段】情報提供装置は、通信装置との間で通信を行う第１通信部と、第１通信部を介して通信装置に送信するためのメイン情報を記憶するメイン情報記憶部と、メイン情報とは別個に再生可能なメイン情報に関連するサブ情報を取得するサブ情報取得部と、通信装置からメイン情報の送信要求を取得すると、メイン情報ととともに、対応するサブ情報を第１通信部にて通信装置に送信する制御を行う通信制御部と、を備える。【選択図】図１
2014204238.tif 000002
【特許請求の範囲】
【請求項１】
通信装置との間で通信を行う第１通信部と、
前記第１通信部を介して前記通信装置に送信するためのメイン情報を記憶するメイン情報記憶部と、
前記メイン情報とは別個に再生可能な前記メイン情報に関連するサブ情報を取得するサブ情報取得部と、
前記通信装置から前記メイン情報の送信要求を取得すると、前記メイン情報ととともに、対応する前記サブ情報を前記第１通信部にて前記通信装置に送信する制御を行う通信制御部と、を備える情報提供装置。
【請求項２】
前記サブ情報取得部は、前記メイン情報に関連して無線通信を行った通信履歴に基づいて、前記サブ情報を取得する請求項１に記載の情報提供装置。
【請求項３】
前記通信履歴は、前記メイン情報を前記通信装置に送信している最中に、前記メイン情報に関連して無線通信を行った通信履歴である請求項２に記載の情報提供装置。
【請求項４】
前記通信履歴は、前記通信装置以外の不特定多数の通信装置が前記メイン情報に関連して無線通信を行った通信履歴である請求項２または３に記載の情報提供装置。
【請求項５】
前記第１通信部が第１無線装置との間で前記メイン情報および前記サブ情報を送受する通信速度よりも遅い通信速度で、前記第２通信部が第２無線装置との間で送受した前記通信履歴を、前記第２無線装置を介して取得する第２通信部を備える請求項２乃至４のいずれかに記載の情報提供装置。
【請求項６】
前記通信装置が前記第１通信部との間で中継装置を介してまたは介さずに無線通信する際の通信範囲よりも広い通信範囲で前記通信履歴を取得する第２通信部を備える請求項２乃至４のいずれかに記載の情報提供装置。
【請求項７】
前記通信制御部は、前記通信履歴を送信した前記通信装置に対してのみ、前記メイン情報に加えて、対応する前記サブ情報を前記第１通信部を介して送信する制御を行う請求項２乃至５のいずれかに記載の情報提供装置。
【請求項８】
前記サブ情報取得部は、前記通信装置から前記第１通信部を介して送信された、前記サブ情報を分類分けした特定分類情報に基づいて、送信要求のあった前記メイン情報に対応する前記サブ情報を取得する請求項１乃至７のいずれかに記載の情報提供装置。
【請求項９】
無線通信を行う第１無線部と、
前記第１無線部よりも遅い通信速度で無線通信を行う第２無線部と、
前記第１無線部で受信したメイン情報を記憶する情報記憶部と、
前記情報記憶部から読み出した前記メイン情報を前記第２無線部を介して通信装置に送信している最中における前記第２無線部の通信履歴を、送信中の前記メイン情報に関連づけて記憶する通信履歴記憶部と、を備える無線通信装置。
【請求項１０】
前記第１無線部は、前記通信履歴記憶部に記憶された前記通信履歴を、前記メイン情報を提供する情報提供装置に送信する請求項９に記載の無線通信装置。
【請求項１１】
前記第１無線部は、前記メイン情報と、前記メイン情報とは別個に再生可能な前記メイン情報に関連するサブ情報とを前記情報提供装置から受信し、
前記情報記憶部は、前記メイン情報と前記サブ情報とを対応づけて記憶する請求項９または１０に記載の無線通信装置。
【発明の詳細な説明】
【技術分野】
【０００１】
本発明の実施形態は、無線通信にてメイン情報を伝送する情報提供装置および無線通信装置に関する。
【背景技術】
【０００２】
携帯電話やスマートフォン等の携帯端末の性能の向上に伴って、携帯端末からＴＶにストリーミングデータを送信して動画を再生しつつ、その動画に関連する情報をウェブ閲覧することも実現可能になってきた。
【０００３】
しかしながら、ストリーミングデータの送信とウェブ閲覧を同時に行うのは、携帯端末にとってかなりの負担であり、場合によっては、必要な伝送速度が維持できなくなり、動画が駒落ちしたり、あるいはウェブ閲覧をスムーズに行えないおそれがある。また、携帯端末のバッテリ容量は限られているため、ストリーミングデータの送信とウェブ閲覧を同時に行うと、バッテリ容量がなくなるまでの時間が短くなり、使い勝手が悪くなる。
【先行技術文献】
【特許文献】
【０００４】
【特許文献１】特開２０１２−１４２７０４号公報
【発明の概要】
【発明が解決しようとする課題】
【０００５】
本発明の実施形態は、携帯端末に負荷をかけずにメイン情報に関連するサブ情報を取得して再生できるようにした情報提供装置および無線通信装置を提供するものである。
【課題を解決するための手段】
【０００６】
本実施形態では、通信装置との間で通信を行う第１通信部と、
前記第１通信部を介して前記通信装置に送信するためのメイン情報を記憶するメイン情報記憶部と、
前記メイン情報とは別個に再生可能な前記メイン情報に関連するサブ情報を取得するサブ情報取得部と、
前記通信装置から前記メイン情報の送信要求を取得すると、前記メイン情報ととともに、対応する前記サブ情報を前記第１通信部にて前記通信装置に送信する制御を行う通信制御部と、を備える情報提供装置が提供される。
【図面の簡単な説明】
【０００７】
【図１】第１の実施形態に係る情報配信サーバ１００と携帯端末３００とを備える無線通信システム１の概略構成を示すブロック図。
【図２】データ配信サーバ１００の内部構成の一例を示すブロック図。
【図３】第１の実施形態に係る無線通信システム１の処理動作を示すフローチャート。
【図４】第２の実施形態に係るデータ配信サーバ１００の内部構成を示すブロック図。
【図５】第２の実施形態に係る無線通信システム１の処理動作を示すフローチャート。
【図６】サブデータ管理部１３０が管理するテーブルの一例を示す図。
【図７】メインデータと、メインデータ識別子と、ウェブサイトと、ウェブ閲覧回数とを対応づけたテーブルの一例を示す図。
【図８】メインデータと、メインデータ識別子と、ウェブサイト名と、ウェブ閲覧日時とを対応づけたテーブルの一例を示す図。
【図９】メインデータとサブデータを対応づけるテーブルの一例を示す図。
【図１０】データ配信サーバ１００内に第１通信部１１０に加えて第２通信部１５０を設ける例を示すブロック図。
【図１１】データ配信サーバ１００との間で通信を行う携帯端末３００のそれぞれと、通信履歴の取得情報とを対応づけるテーブルの一例を示す図。
【図１２】第２の実施形態に係る携帯端末３００の内部構成を示すブロック図。
【図１３】通信履歴記憶部３４０に記憶される通信履歴の一例を示す図。
【図１４】通信履歴記憶部３４０に記憶される通信履歴の他の例を示す図。
【図１５】閲覧回数の代わりに閲覧日を対応づけたテーブルを通信履歴記憶部３４０に記憶する例を示す図。
【図１６】図１２の一変形例に係る携帯端末３００のブロック図。
【図１７】通信履歴を、第２無線部３２０に接続された外部ネットワークを介して、データ配信サーバ１００に送信する例を示す図。
【図１８】携帯端末３００の表示部に、メインデータを表示させるとともに、対応するサブデータを表示させる例を示す図。
【図１９】第３の実施形態にデータ配信サーバ１００の内部構成を示すブロック図。
【発明を実施するための形態】
【０００８】
以下、図面を参照しながら、本発明の実施形態を説明する。
【０００９】
（第１の実施形態）
図１は第１の実施形態に係る情報配信サーバ（情報提供装置）１００と携帯端末３００とを備える無線通信システム１の概略構成を示すブロック図である。図１の無線通信システム１は、情報配信サーバ（データ配信サーバ）１００と、第１無線装置２００と、携帯端末３００と、第２無線装置４００と、ディスプレイ装置５００とを備えている。
【００１０】
情報配信サーバ１００は、第１無線装置２００を介して携帯端末３００に、高速無線通信にてメイン情報を提供する。メイン情報とは、例えば、映画等の動画コンテンツや楽曲データなどであり、送信しながら再生することが可能なストリーミングデータも含まれる。以下では、メイン情報を総称してメインデータと呼び、情報配信サーバ１００をデータ配信サーバ１００と呼ぶ。
【００１１】
第１無線装置２００は、高速無線通信を行うことが可能な第１無線部１０を有する装置であり、例えば、各家庭に設置されたホームサーバやデータ配信業者の店頭に設置された情報キオスクである。なお、第１無線装置２００とデータ配信サーバ１００とを一つの装置に統合してもよい。すなわち、データ配信サーバ１００に第１無線装置２００の機能を内蔵させてもよい。
【００１２】
携帯端末３００は、後述するように、少なくとも２つの無線部（第１無線部３１０と第２無線部３２０）を有し、第１無線部３１０を用いて第１無線装置２００との間で高速無線通信を行うとともに、第２無線部３２０を用いてディスプレイ装置５００および第２無線装置４００との間で低速無線通信を行う。携帯端末３００は、スマートフォンや携帯電話などである。
【００１３】
ディスプレイ装置５００は、例えば一般家庭用のＴＶであるが、無線通信機能と表示機能を有する各種の電子機器が適用可能である。なお、ディスプレイ装置５００の代わりにスピーカを備えた音声出力装置（例えばオーディオコンポーネント）を設けて、このスピーカで音声をストリーミング再生してもよい。第２無線装置４００は、例えば、インターネットに接続可能な無線ステーションである。
【００１４】
第２無線装置４００とディスプレイ装置５００のそれぞれは、携帯端末３００内の第２無線部２０と低速無線通信を行うための第２無線部３０，３１を有する。
【００１５】
本実施形態では、携帯端末３００がデータ配信サーバ１００から第１無線装置２００を介して取得したメインデータを、ディスプレイ装置５００に送信してストリーミング再生を行い、その再生途中に、メインデータに関連するサブ情報を、第２無線装置４００にアクセスしなくても、携帯端末３００内の表示部に表示できるようにしている。これにより、ストリーミング再生を行っている最中に、第２無線部３２０から第２無線装置４００にアクセスしてサブ情報を取得しなくても、携帯端末３００の表示部にサブ情報を表示させることができる。したがって、本実施形態によれば、携帯端末３００が第２無線部３２０を使って第２無線装置４００にアクセスする頻度を低減でき、第２無線部３２０をストリーミング再生用に用いることができることから、ストリーミング再生をスムーズに行うことができる。また、携帯端末３００の消費電力の削減も図れる。
【００１６】
ここで、サブ情報とは、メインデータとは別個に再生可能な情報であり、ヘッダ情報などのそれ自体では再生できない情報は含まない。サブ情報は、例えば、メインデータに関連するウェブサイトを構成する情報（例えば、ウェブサイトを構成するＨＴＭＬファイルやメインデータに関連する動画など）であり、ウェブサイトの場所を表すＵＲＬアドレスやリンク情報ではない。以下では、サブ情報を総称してサブデータと呼ぶ。
【００１７】
図２はデータ配信サーバ１００の内部構成の一例を示すブロック図である。図２のデータ配信サーバ１００は、第１通信部１１０と、メインデータ記憶部１２０と、サブデータ管理部１３０と、結合部１４０とを有する。
【００１８】
メインデータ記憶部１２０は、メインデータを記憶する。サブデータ管理部１３０は、メインデータに関連するサブデータを取得して記憶する。なお、サブデータを記憶する記憶部をサブデータ管理部１３０とは別個に設けてもよい。
【００１９】
結合部１４０は、メインデータと対応するサブデータとを結合した結合情報を生成する。結合部１４０は、メインデータとサブデータを必ずしも物理的に結合するわけではなく、メインデータとサブデータとの対応づけを行えばよい。そして、結合部１４０は、携帯端末３００から送信要求のあったメインデータと対応するサブデータとを、第１通信部１１０を介して通信装置に送信する制御を行う。このように、結合部１４０は、通信制御部として機能する。
【００２０】
第１通信部１１０は、第１無線装置２００との間で高速通信を行う。なお、第１通信部１１０と第１無線装置２００との間の通信は、有線と無線のどちらでもよい。
【００２１】
サブデータ管理部１３０は、メインデータに関連するサブデータを、例えば特定のウェブサイトにアクセスする等して取得する。サブデータ管理部１３０は、何等かの手段により、メインデータごとに、対応するサブデータを取得可能なウェブサイト等の情報を入手し、その情報に従って、サブデータを取得する。
【００２２】
図３は第１の実施形態に係る無線通信システム１の処理動作を示すフローチャートである。まず、携帯端末３００は、第１無線部３１０を用いて第１無線装置２００と無線接続処理を行う（ステップＳ１）。携帯端末３００は、第１無線装置２００に無線接続すると、第１無線装置２００に特定のメインデータの送信要求を通知する（ステップＳ２）。この通知を受けた第１無線装置２００は、この要求をデータ配信サーバ１００内の第１通信部１１０に送信する（ステップＳ３）。
【００２３】
データ配信サーバ１００内の第１通信部１１０は、この要求を受信して（ステップＳ４）、要求のあったメインデータをメインデータ記憶部１２０から読み出すとともに（ステップＳ５）、メインデータに対応するサブデータをサブデータ管理部１３０から読み出して（ステップＳ６）、読み出したメインデータと対応するサブデータを結合部１４０に送信する。結合部１４０は、メインデータと対応するサブデータを結合して（ステップＳ７）、結合した情報を第１通信部１１０を介して第１無線装置２００に送信する（ステップＳ８）。
【００２４】
第１無線装置２００は、結合した情報を高速無線通信で携帯端末３００に送信する（ステップＳ９）。携帯端末３００の第１無線部３１０は、この情報を受信して、メインデータを第２無線部３２０を介してディスプレイ装置５００に送信してストリーミング再生しつつ、必要に応じて、メインデータに対応するサブデータを携帯端末３００の表示部に表示させる（ステップＳ１０）。従来は、サブデータを表示させるには、第２無線部３２０を介して第２無線装置４００にアクセスする必要があったが、本実施形態によれば、第２無線装置４００にアクセスしなくても、サブデータを携帯端末３００に表示させることができる。
【００２５】
このように、第１の実施形態では、携帯端末３００がディスプレイ装置５００にメインデータをストリーミング送信している最中に、メインデータに関連するサブデータを再生することが容易にできるように、予めデータ配信サーバ１００から携帯端末３００に、メインデータと対応するサブデータとを送信する。これにより、携帯端末３００は、メインデータをディスプレイ装置５００に送信している最中に、第２無線部３２０を介して第２無線装置４００にアクセスしてサブデータを取得する必要がなくなり、第２無線部３２０をメインデータのストリーミング再生用に使うことができ、携帯端末３００からディスプレイ装置５００へのメインデータの送信を安定して行うことができる。
【００２６】
（第２の実施形態）
以下に説明する第２の実施形態は、メインデータを要求した携帯端末３００とは異なる携帯端末３００から送信された通信履歴に基づいて、データ配信サーバ１００でサブデータを取得するものである。
【００２７】
図４は第２の実施形態に係るデータ配信サーバ１００の内部構成を示すブロック図である。図４のデータ配信サーバ１００は、図２と同様に、メインデータ記憶部１２０と、サブデータ管理部１３０と、結合部１４０と、第１通信部１１０とを備えている。
【００２８】
第１通信部１１０は、メインデータの送信を要求する携帯端末Ａとの間で通信を行うことに加えて、別の携帯端末Ｂから送信された通信履歴を受信する処理を行う。
【００２９】
図４のデータ配信サーバ１００は、携帯端末Ａからの特定のメインデータの送信要求に従って、メインデータと対応するサブデータを携帯端末Ａに送信する処理と、別の携帯端末Ｂから送信された通信履歴に基づいてサブデータを取得する処理とを独立して行う。前者の処理は、第１の実施形態と同様であるため、説明を省略し、以下では、サブデータを取得する処理動作を説明する。
【００３０】
図５は第２の実施形態に係る無線通信システム１の処理動作を示すフローチャートである。まず、通信履歴を送信する携帯端末Ｂは、第１無線部３１０を用いて第１無線装置２００と無線接続処理を行い（ステップＳ１１）、接続後に携帯端末３００の通信履歴を第１無線装置２００に送信する（ステップＳ１２）。ここで、通信履歴とは、携帯端末３００があるメインデータを視聴しながら、メインデータに関連するサブデータを閲覧した履歴であり、例えばメインデータに関連する情報を提供するウェブサイトの閲覧履歴である。あるいは、通信履歴は、ウェブ閲覧時のＵＲＬアドレスそのものでもよいし、ＵＲＬアドレスの一部の情報でもよい。例えば、ＵＲＬアドレスがhttp://AAA/BBB/CCC/DDD/EEEで表される場合、このアドレスの上位階層のアドレスであるhttp://AAA/BBB/CCC/DDDやhttp://AAA/BBB/CCCを通信履歴としてもよい。
【００３１】
通信履歴をメインデータと関連付ける手法として、例えば、メインデータの識別子と対応づけて通信履歴を記憶してもよい。
【００３２】
本実施形態に係る携帯端末３００は、上述した通信履歴をメインデータと関連づけて記憶しておくことを前提としているが、携帯端末３００の具体的な内部構成については後述する。
【００３３】
第１無線装置２００は、携帯端末３００から取得した通信履歴をデータ配信サーバ１００に送信する（ステップＳ１３）。データ配信サーバ１００内の第１通信部１１０は、通信履歴を受信すると（ステップＳ１４）、受信した通信履歴をサブデータ管理部１３０に送信する。サブデータ管理部１３０は、メインデータに関連づけられた１つまたは複数の通信履歴を用いて、メインデータに対応するサブデータを取得して記憶する（ステップＳ１５）。
【００３４】
図６はサブデータ管理部１３０が管理するテーブルの一例を示す図である。このテーブルには、メインデータと、メインデータ識別子と、通信履歴と、サブデータであるウェブサイトの情報との対応関係が登録されている。サブデータ管理部１３０は、携帯端末３００から新たな通信履歴が送られて来ると、図６のテーブルにメインデータ等との対応関係を登録する。図６のテーブルは、サブデータ管理部１３０の内部に設けられてもよいし、サブデータ管理部１３０とは別個に、図６のテーブルを記憶する記憶部を設けてもよい。
【００３５】
図６は、メインデータ識別子ＩＤ＿ＡのメインデータＡをストリーミング再生中に、通信履歴ａ，ｂ，…に示すウェブサイトでのウェブ閲覧を行い、メインデータ識別子ＩＤ＿ＢのメインデータＢをストリーミング再生中に、通信履歴ａ，ｃ，…に示すウェブサイトでのウェブ閲覧を行い、メインデータ識別子ＩＤ＿ＣのメインデータＣをストリーミング再生中に、通信履歴ｃ，ｄ，…に示すウェブサイトでのウェブ閲覧を行う例を示している。
【００３６】
図６のテーブルは一例に過ぎず、メインデータとサブデータとの対応関係を表す情報には種々のものが考えられる。例えば、図７は、メインデータと、メインデータ識別子と、ウェブサイトと、ウェブ閲覧回数とを対応づけたテーブルの一例を示す図である。また、図８は、メインデータと、メインデータ識別子と、ウェブサイト名と、ウェブ閲覧日時とを対応づけたテーブルの一例を示す図である。
【００３７】
図６〜図８のテーブルには、複数の携帯端末から送られた通信履歴をまとめて分類した情報が登録されている。これらのテーブルに登録される通信履歴に関する情報のうち、登録から所定時間を経過した古い情報は自動的に削除してもよい。これにより、より新しい通信履歴に基づいてサブデータを取得できる。
【００３８】
また、同じメインデータを視聴するユーザは、同種のウェブサイトを閲覧することが予想されることから、例えば、不特定多数の携帯端末３００の通信履歴から閲覧回数の多いウェブサイトを抽出して、抽出したウェブサイトに基づいてサブデータを生成してもよい。これにより、サブデータの信頼性が高くなる。
【００３９】
さらに、例えば各個人の通信履歴を解析し、個人の嗜好に基づいて、その個人向けにサブデータを生成または取得してもよい。使用する通信履歴は、所定期間内に取得した通信履歴のみでもよいし、過去のすべての通信履歴でもよい。また、通信履歴に加えて、携帯端末３００の所有者の属性（年齢層、性別等）を併せて、サブデータを生成または取得してもよい。また、サブデータの生成または取得の処理は、所定の条件を満たす通信履歴を取得した段階で行ってもよいし、通信履歴を取得するたびに行ってもよい。
【００４０】
サブデータ管理部１３０は、図６〜図８のようなテーブルに基づいて、図９のようなメインデータとサブデータを対応づけるテーブルを作成してもよい。図９のテーブルには、メインデータと、メインデータ識別子と、サブデータとが対応づけて登録されている。図９のようなテーブルを設ければ、携帯端末３００から送信要求のあったメインデータに対応するサブデータを迅速に取得でき、メインデータと対応するサブデータとを結合して、送信要求をした携帯端末３００に迅速に送信できる。
【００４１】
図４では、データ配信サーバ１００内の第１通信部１１０が第１無線装置２００を介して、携帯端末３００からのメインデータの送信要求を受信して、この携帯端末３００にメインデータとサブデータを送信し、また、他の携帯端末３００からの通信履歴も取得していた。これに対して、メインデータの送信要求とメインデータの送受を行う通信部とは別個に、通信履歴を取得する通信部を設けてもよい。
【００４２】
図１０はデータ配信サーバ１００内に第１通信部１１０に加えて第２通信部１５０を設ける例を示すブロック図である。第１通信部１１０は、携帯端末Ａから第１無線装置２００を介して送信されるメインデータ送信要求を受信して、この携帯端末Ａに第１無線装置２００を介してメインデータとサブデータを高速で送信する高速通信機能を有する。これに対して、第２通信部１５０は、携帯端末Ｂが第２無線装置４００に送信した通信履歴を、第１通信部１１０よりも遅い通信速度で受信する。
【００４３】
第１無線装置２００と第１通信部１１０との通信回線は有線と無線のいずれでもよい。同様に、第２無線装置４００と第２通信部１５０との通信回線は有線と無線のいずれでもよい。携帯端末Ａは、第１無線装置２００との間で無線通信を行うが、その無線通信範囲は、携帯端末Ｂが第２無線装置４００との間で行う無線通信範囲よりも狭くしてもよい。これにより、できるだけ広範囲に位置する多数の携帯端末Ｂからの通信履歴を取得可能となる。
【００４４】
データ配信サーバ１００が、メインデータに対応するサブデータを事前に生成または取得するには、できるだけ多くの携帯端末３００の通信履歴を取得して、メインデータに対応するサブデータがどういうものかを事前に把握しておく必要がある。各携帯端末３００が自端末の通信履歴をデータ配信サーバ１００に送信することを促すために、データ配信サーバ１００は、通信履歴をデータ配信サーバ１００に送信した携帯端末３００のみに、メインデータに対応するサブデータを提供するようにしてもよい。このようにすれば、携帯端末３００は、自端末の通信履歴を事前にデータ配信サーバ１００に送信しない限り、サブデータを受け取れなくなることから、通信履歴をデータ配信サーバ１００に送信する携帯端末３００の数を増やすことができ、それに伴ってサブデータの信頼性を向上できる。
【００４５】
通信履歴を過去に送信した携帯端末３００であるかどうかを区別するには、データ配信サーバ１００内に図１１のようなテーブルを設ければよい。このテーブルには、データ配信サーバ１００との間で通信を行う携帯端末３００のそれぞれと、通信履歴の取得情報とが対応づけて登録されている。このようなテーブルがあれば、データ配信サーバ１００は、任意の携帯端末３００からメインデータの送信要求を受けたときに、このテーブルを参照して、送信要求をした携帯端末３００が過去に通信履歴を送信したか否かを確認して、通信履歴を送信したことのある携帯端末３００のみにサブデータを送信できる。
【００４６】
図１２は第２の実施形態に係る携帯端末３００の内部構成を示すブロック図である。この携帯端末３００は、第１の実施形態の携帯端末３００としても用いることができる。図１２の携帯端末３００は、第１無線部３１０と、第２無線部３２０と、情報記憶部（データ記憶部）３３０と、通信履歴記憶部３４０とを備えている。
【００４７】
第１無線部３１０は、第１無線装置２００との間で、第１通信速度で無線通信を行う。第２無線部３２０は、ディスプレイ装置５００および第２無線装置４００との間で、第１通信速度よりも遅い第２通信速度で無線通信を行う。
【００４８】
第２無線部３２０は、ディスプレイ装置５００に対してメインデータをストリーミング送信する。
【００４９】
ディスプレイ装置５００は、受信したメインデータを逐次再生するストリーミング再生を行う。上述したように、ディスプレイ装置５００の代わりに、音声出力装置を設けてもよい。
【００５０】
第２無線部３２０は、ディスプレイ装置５００に対してメインデータをストリーミング送信しながら、第２無線装置４００と無線通信を行うことが可能である。これにより、携帯端末３００の所有者は、メインデータをストリーミング再生しながら、メインデータに関連するサブデータを第２無線装置４００から取得できる。取得するサブデータは例えばウェブ閲覧情報である。
【００５１】
ただし、本実施形態に係る携帯端末３００では、第２無線装置４００から取得するサブデータをできるだけ少なくするために、可能な限り、メインデータと対応するサブデータとをデータ配信サーバ１００から取得する。
【００５２】
情報記憶部３３０は、第１無線部３１０で取得したメインデータを記憶する。記憶されたメインデータは、第２無線部３２０を介してディスプレイ装置５００に送信されて、ストリーミング再生される。情報記憶部３３０には、メインデータ以外にサブデータも記憶可能であり、その他の情報を記憶してもよい。以下では、情報記憶部３３０をデータ記憶部３３０と呼ぶ。
【００５３】
通信履歴記憶部３４０は、第２無線部３２０がディスプレイ装置５００にメインデータをストリーミング送信している最中に第２無線部３２０が第２無線装置４００との間で行った通信履歴を、メインデータと関連づけて記憶する。通信履歴は、上述したように、ウェブ閲覧した履歴でもよいし、ウェブ閲覧したＵＲＬアドレスの少なくとも一部でもよい。また、通信履歴は、メインデータ、メインデータの識別子、閲覧日時、閲覧回数などと関連づけて記憶してもよい。
【００５４】
図１３は通信履歴記憶部３４０に記憶される通信履歴の一例を示す図である。図１３は、メインデータと、メインデータ識別子と、ウェブ閲覧したウェブサイトとを対応づけたテーブルを通信履歴記憶部３４０に記憶する例を示している。図１３のテーブルには、携帯端末３００自身の通信履歴のみが登録される。
【００５５】
図１４は通信履歴記憶部３４０に記憶される通信履歴の他の例を示す図である。図１４は、図１３の３つの要素に加えて、閲覧回数を対応づけたテーブルを通信履歴記憶部３４０に記憶する例を示している。
【００５６】
図１５は、閲覧回数の代わりに閲覧日を対応づけたテーブルを通信履歴記憶部３４０に記憶する例を示している。
【００５７】
このように、通信履歴記憶部３４０に記憶される通信履歴の具体的な内容は、一つに限定されないが、携帯端末３００自身の通信履歴のみが記憶される点では共通する。
【００５８】
図１２の携帯端末３００のブロック図では、通信履歴記憶部３４０に記憶された通信履歴をどうやってデータ配信サーバ１００に送信するかを明示していない。これを明示した一例が図１６である。図１６は図１２の一変形例に係る携帯端末３００のブロック図である。図１６の携帯端末３００は、通信履歴記憶部３４０に記憶された通信履歴を第１無線部３１０を介して、第１無線装置２００に送信し、第１無線装置２００からさらにデータ配信サーバ１００に送信する例を示している。
【００５９】
データ配信サーバ１００または第１無線装置２００が例えば情報配信業者の店頭に設置された情報キオスクである場合、顧客の来店時に顧客の携帯端末３００から情報キオスクに通信履歴を送信してもよい。あるいは、データ配信サーバ１００または第１無線装置２００が各家庭に設置されたホームサーバである場合は、例えばメインデータをディスプレイ装置５００にストリーミング配信していない時間に通信履歴をホームサーバに送信してもよい。メインデータをディスプレイ装置５００にストリーミング送信していない時間として、例えばストリーミング送信終了時でもよい。あるいは、ユーザが携帯端末３００を使用していない夜間時間帯に自動で第１無線装置２００に通信履歴を送信してもよい。
【００６０】
通信履歴は、図１７に示すように、第２無線部３２０に接続された外部ネットワークを介して、データ配信サーバ１００に送信してもよい。データ配信サーバ１００に通信履歴を送信するタイミングは、ディスプレイ装置５００へのストリーミング送信終了後であってもよい。
【００６１】
ところで、通信履歴記憶部３４０に通信履歴を記憶する期間は、メインデータをディスプレイ装置５００に送信してストリーミング再生を行っている期間の全体でもよいし、そのうちの一部の期間（例えば、メインデータの送信を開始してから所定時間後まで）でもよい。所定時間後までとすることで、メインデータをストリーミング再生する際に、一番重要な結末（クライマックス）部分の再生前までに通信履歴の記憶を終了することができる。結末部分の通信履歴を記憶しない理由は、視聴中のメイン情報の結末がサブ情報によってわかってしまうと、メイン情報の視聴を最後まで楽しめなくなるおそれを考慮したものである。通信履歴を通信履歴記憶部３４０に記憶する期間を正しく管理するために、例えば携帯端末３００に専用のアプリケーション・ソフトウェア（以下、専用アプリ）をインストールし、この専用アプリを用いてメイン情報のディスプレイ装置５００への送信タイミングと通信履歴を通信履歴記憶部３４０に記憶する期間とを管理してもよい。
【００６２】
なお、図１６のデータ記憶部３３０には、データ配信サーバ１００から送られたメインデータだけでなく、サブデータも記憶してよい。データ記憶部３３０にメインデータとサブデータを対応づけて記憶しておけば、例えば、メインデータをディスプレイ装置５００に送信してストリーミング再生を行っている最中に、対応するサブデータを携帯端末３００の表示部に表示させることができる。また、専用アプリを用いて図１８に示すように、携帯端末３００の表示部に、メインデータを表示させるとともに、対応するサブデータを表示させてもよい。
【００６３】
通信履歴記憶部３４０に記憶された通信履歴は、データ配信サーバ１００に送信した後に破棄してもよい。また、通信履歴記憶部３４０に記憶された通信履歴は、所定期間が経過すると、自動的に削除してもよい。
【００６４】
同様に、データ記憶部３３０に記憶されたメインデータとサブデータは、所定期間が経過すると、自動的に削除してもよい。また、著作権保護等のために視聴期間が予め定められているメインデータとサブデータは、その期間が経過すると、自動的に削除してもよい。
【００６５】
このように、第２の実施形態では、携帯端末３００からデータ管理サーバに送信された通信履歴に基づいて、データ管理サーバ内でメインデータに対応するサブデータを取得するため、携帯端末３００から送信要求のあったメインデータとともに、対応するサブデータを携帯端末３００に送信することで、携帯端末３００では、メインデータをストリーミング再生しつつ、ウェブ閲覧しなくてもサブデータを携帯端末３００の表示部等で再生できる。
【００６６】
また、携帯端末３００は、自身が過去にストリーミング再生中にウェブ閲覧した通信履歴をデータ配信サーバ１００に送信することができるため、データ管理サーバは、不特定多数の携帯端末３００からの通信履歴に基づいて、メインデータに最適なサブデータを取得でき、携帯端末３００がストリーミング再生中にウェブ閲覧する必要性をさらに低減できる。
【００６７】
（第３の実施形態）
以下に説明する第３の実施形態は、データ配信サーバ１００がサブデータを取得する手法が第１および第２の実施形態とは異なるものである。
【００６８】
図１９は第３の実施形態にデータ配信サーバ１００の内部構成を示すブロック図である。図１９のデータ配信サーバ１００は、図２と同様に、メインデータ記憶部１２０と、サブデータ管理部１３０と、結合部１４０と、第１通信部１１０とを備えているが、サブデータ管理部１３０の処理動作が異なる。
【００６９】
図１９のサブデータ管理部１３０は、携帯端末３００から、携帯端末３００の所有者が関心のあるサブコンテンツ分類情報を受け取る。サブコンテンツ分類情報は、例えば、映画やドラマ等のストリーミングコンテンツの人物相関図、出演者情報、シリーズ物のダイジェスト情報などであり、これらの中から、携帯端末３００の所有者が任意に選択して、第１通信部１１０を介してサブデータ管理部１３０に送信する。
【００７０】
サブデータ管理部１３０は、携帯端末３００の所有者から送られて来たサブコンテンツ分類情報に基づいて、予め用意した複数のサブデータの中から、最適なサブデータを選択して、メインデータに対応づけて結合部１４０に送る。
【００７１】
なお、サブコンテンツ分類情報は、図１７と同様に、携帯端末３００を介さずに、第２無線装置４００からデータ配信サーバ１００に送信してもよい。
【００７２】
このように、第３の実施形態では、携帯端末３００の所有者が感心のあるサブコンテンツ分類情報を予めデータ管理サーバに送信するため、データ管理サーバは、各携帯端末３００ごとに、送信されたサブコンテンツ分類情報に基づいて最適なサブデータを取得して、メインデータとともに送信することができる。これにより、携帯端末３００の所有者が関心のあるサブコンテンツ分類情報に属するサブデータを的確に提供でき、携帯端末３００でメインデータをストリーミング再生中にウェブ閲覧する必要性を第２の実施形態よりもさらに削減できる。
【００７３】
なお、図１９のデータ配信サーバ１００は、第２の実施形態と同様に、不特定多数の携帯端末３００からの通信履歴を受信して通信履歴とサブコンテンツ分類情報とを考慮に入れて、最適なサブデータを取得してもよい。
【００７４】
上述した実施形態で説明した情報提供装置および携帯端末３００の少なくとも一部は、ハードウェアで構成してもよいし、ソフトウェアで構成してもよい。ソフトウェアで構成する場合には、情報提供装置および携帯端末３００の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７５】
また、情報提供装置および携帯端末３００の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７６】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７７】
１  無線通信システム、１００  情報配信サーバ、１１０  第１通信部、１２０  メインデータ記憶部、１３０  サブデータ管理部、１４０  結合部、２００  第１無線装置、３００  携帯端末、３１０  第１無線部、３２０  第２無線部、３３０  情報記憶部、３４０  通信履歴記憶部、４００  第２無線装置、５００  ディスプレイ装置
【図１】
2014204238.tif 000003
【図２】
2014204238.tif 000004
【図３】
2014204238.tif 000005
【図４】
2014204238.tif 000006
【図５】
2014204238.tif 000007
【図６】
2014204238.tif 000008
【図７】
2014204238.tif 000009
【図８】
2014204238.tif 000010
【図９】
2014204238.tif 000011
【図１０】
2014204238.tif 000012
【図１１】
2014204238.tif 000013
【図１２】
2014204238.tif 000014
【図１３】
2014204238.tif 000015
【図１４】
2014204238.tif 000016
【図１５】
2014204238.tif 000017
【図１６】
2014204238.tif 000018
【図１７】
2014204238.tif 000019
【図１８】
2014204238.tif 000020
【図１９】
2014204238.tif 000021